(57)【要約】【課題】複数の熱源を各々制御する複数の調理タイマーを備えたものにおいて、タイマー機能を効率的に利用する事を目的とするものである。【解決手段】調理器本体１と、この調理器本体内に配置された複数の熱源３，４，５と、これら熱源を制御する制御回路２０とを備えたものにおいて、制御回路に、熱源の作動時間を各々設定するタイマー３９，４０を設けると共に、未使用のタイマーをお知らせタイマーとして動作可能に構成したものである。【選択図】    図２
2005038611.tif 000002
【特許請求の範囲】
【請求項１】
調理器本体と、この調理器本体内に配置された複数の熱源と、これら熱源を制御する制御回路とを備えたものにおいて、上記制御回路に、上記熱源の作動時間を各々設定するタイマーを設けると共に、未使用のタイマーをお知らせタイマーとして動作可能に構成した事を特徴とする加熱調理器。
【請求項２】
上記お知らせタイマーの時間設定を、上記熱源の作動時間を設定するタイマー設定キーを利用して設定する様に構成した事を特徴とする、上記請求項１に記載の加熱調理器。
【請求項３】
上記各熱源への通電をオン・オフする運転スイッチを設けると共に、上記制御回路を、上記運転スイッチのオフ時に上記タイマー設定キーの操作により時間設定された場合には、お知らせタイマーとして動作する様に構成した事を特徴とする、上記請求項１〜２に記載の加熱調理器。
【請求項４】
上記タイマーの時間を表示する表示器を設けると共に、この表示器の表示色を、上記熱源の作動時間を設定する調理タイマーとして設定時とお知らせタイマーとして設定時とで異ならせる様に構成した事を特徴とする、上記請求項１〜３に記載の加熱調理器。
【請求項５】
調理器本体と、この調理器本体内に配置された複数の熱源と、これら熱源を制御する制御回路とを備えたものにおいて、上記制御回路に、上記熱源の作動時間を各々設定するタイマーを設けると共に、上記制御回路を、上記タイマーによるタイマー調理中に、予め設定された特定の操作により時間設定した場合には、この設定時間をお知らせタイマーとして動作する様に構成した事を特徴とする加熱調理器。
【請求項６】
上記タイマーの時間を表示する表示器を設けると共に、この表示器に、時間を表示する時間表示部と上記熱源の火力を表示する火力表示部を設け、熱源の作動時間を表示時には上記時間表示部と火力表示部にて時間と火力を同時に表示し、お知らせタイマーの時間を表示時には上記時間表示部のみ表示する事を特徴とする、上記請求項１〜５に記載の加熱調理器。
【請求項７】
上記熱源の作動時間の終了とお知らせタイマーの終了を、ブザーの報知音を異ならせて報知する様に構成した事を特徴とする、上記請求項１〜６に記載の加熱調理器。
【発明の詳細な説明】
【０００１】
【発明の属する技術分野】
本発明は、被調理物を加熱するための複数の熱源を備えた加熱調理器に関する。
【０００２】
【従来の技術】
調理器本体の天面に鍋等の被調理物を載置する天板を備えると共に、この天板の下方に誘導加熱コイルやヒータ等の複数の熱源を配設した加熱調理器で、特に、例えば特許文献１に示される様に、上記各熱源の各々の作動時間を設定する調理タイマーを複数備えたものでは、所謂調理タイマーを使用しない場合、或いは何れか一つの熱源しか使用しない場合には、タイマー機能が無駄になっているという問題がある。
【０００３】
【特許文献１】
特開２００２−５４５４号公報
【０００４】
【発明が解決しようとする課題】
又、上記特許文献１の構成では、タイマー機能を備えながら、設定時間が経過すると熱源の作動を停止する、所謂調理タイマーとしてのみ使用しており、他の設定時間が経過するとブザー等を作動して報知する、所謂お知らせタイマー等の機能には利用していないという問題がある。
【０００５】
そこで本発明は、複数の熱源を各々制御する複数のタイマーを備えたものにおいて、これらのタイマー機能を効率的に利用し得る様に構成する事を目的とするものである。
【０００６】
【課題を解決するための手段】
本発明は、調理器本体と、この調理器本体内に配置された複数の熱源と、これら熱源を制御する制御回路とを備えたものにおいて、制御回路に、熱源の作動時間を各々設定するタイマーを設けると共に、未使用のタイマーをお知らせタイマーとして動作可能に構成したものである。
【０００７】
又本発明は、お知らせタイマーの時間設定を、熱源の作動時間を設定するタイマー設定キーを利用して設定する様に構成したものである。
【０００８】
そして又本発明は、各熱源への通電をオン・オフする運転スイッチを設けると共に、制御回路を、運転スイッチのオフ時にタイマー設定キーの操作により時間設定された場合には、お知らせタイマーとして動作する様に構成したものである。
【０００９】
更に本発明は、タイマーの時間を表示する表示器を設けると共に、この表示器の表示色を、熱源の作動時間を設定する調理タイマーとして設定時とお知らせタイマーとして設定時とで異ならせる様に構成したものである。
【００１０】
そして本発明は、調理器本体と、この調理器本体内に配置された複数の熱源と、これら熱源を制御する制御回路とを備えたものにおいて、制御回路に、熱源の作動時間を各々設定するタイマーを設けると共に、制御回路を、タイマーによるタイマー調理中に、予め設定された特定の操作により時間設定した場合には、この設定時間をお知らせタイマーとして動作する様に構成したものである。
【００１１】
そして又本発明は、タイマーの時間を表示する表示器を設けると共に、この表示器に、時間を表示する時間表示部と熱源の火力を表示する火力表示部を設け、熱源の作動時間を表示時には時間表示部と火力表示部にて時間と火力を同時に表示し、お知らせタイマーの時間を表示時には時間表示部のみ表示する様に構成したものである。
【００１２】
そして更に本発明は、熱源の作動時間の終了とお知らせタイマーの終了を、ブザーの報知音を異ならせて報知する様に構成したものである。
【００１３】
【発明の実施の形態】
本発明の実施例を、先ず図１に基づき説明すると、１は例えばシステムキッチン等にドロップイン方式にて組み込まれて使用される電磁調理器本体で、上面に耐熱ガラス製の天板２を装着していると共に、この天板の下方内部に熱源となる左右一対の誘導加熱コイル３，４とラジエントヒータ５を内蔵している。
【００１４】
一方、上記電磁調理器本体１内の前面右側には操作パネル６を配設していると共に、この操作パネルの左側にはグリル７用のグリル扉８を引き出し自在に配設し、かつ、上記操作パネル６には、シーソー式の電源スイッチ９、複数の液晶パネルで構成した表示器１０，１１，１２等を配設している。
【００１５】
一方、上記操作パネル６は、図２にても示す様に主に左右方向に３区画に分けていると共に、右上の端には上記電源スイッチ９を設け、かつ３区画の左端を誘導加熱コイル３の操作用、中央をグリル７及びラジエントヒータ５の操作用、右端を誘導加熱コイル４の操作用に設定している。
【００１６】
そして、上記３区画の各上部には上記表示器１０，１１，１２を配設していると共に、これら表示器の下には時間設定キー１３・・、分設定キー１４・・、取消キー１５・・から構成したタイマー設定キーを各々横一列に配置し、かつ中央の上記各キー１３，１４，１５の下には、上記グリル７内のグリルヒータへの通電をオン・オフする運転キー１６を配置している。
【００１７】
更に、上記３区画の最も下にはプッシュプッシュ操作並びに回転操作可能な運転及び火力設定用の摘み１７・・を配置し、プッシュプッシュ操作により、摘み１７・・を引き出すと誘導加熱コイル３，４やラジェントヒータ５への通電を開始し、押し込むと運転を停止し、引き出し位置で回転操作すると火力を設定出来る様に構成している。
【００１８】
図３は上記誘導加熱コイル３，４等への通電を制御する制御回路２０の回路ブロック図を示すもので、商用の２００Ｖ電源２１に、上記電源スイッチ９を介してメイン・右コンロ用電源回路２２と左コンロ用電源回路２３を接続し、メイン・右コンロ用の電源回路にはメイン用制御回路２４と右コンロ用制御回路２５を接続し、左コンロ用電源回路２３には左コンロ用制御回路２６を接続している。
【００１９】
上記メイン用制御回路２４、右コンロ用制御回路２５、左コンロ用制御回路２６は各々マイクロコンピュータにより構成し、メイン用制御回路２４の入力ポートには上記操作パネル６に配置した各キーのオン操作や摘み１７・・の回転操作を検出するキー入力回路２７と、摘み１７・・のプッシュ操作によりオン・オフ操作される運転スイッチ２８を接続し、同じく出力ポートには冷却ファン駆動２９を介して上記電磁調理器本体１内に装着した冷却ファン３０を接続し、かつ報知用のブザー３１を接続している。
【００２０】
又、上記メイン用制御回路２４の入出力ポートには通信ライン３２により上記右コンロ用制御回路２５及び左コンロ用制御回路２６を接続すると共に、上記操作パネル６に配置した表示器１０，１１，１２を駆動するＬＣＤドライバー３３を接続している。
【００２１】
一方、上記右コンロ用制御回路２５の出力ポートには、上記右側の誘導加熱コイル４に高周波電力を供給するインバータ回路３４を接続すると共に、ラジエントヒータ駆動回路３５を介して上記ラジエントヒータ５を接続している。
【００２２】
又、上記左コンロ用制御回路２６の出力ポートには、上記左側の誘導加熱コイル３に高周波電力を供給するインバータ回路３６を接続すると共に、グリルヒータ駆動回路３７を介して上記グリル７内に配置したグリルヒータ３８を接続している。
【００２３】
更に、上記右コンロ用制御回路２５並びに左コンロ用制御回路２６には、誘導加熱コイル３，４による調理時間や、設定時間が経過すると上記ブザー３０等により報知するタイマー３９，４０を設けている。
【００２４】
而して、本発明の動作を図４のフローチャートに基づいて簡単に説明すると、天板２の誘導加熱コイル３，４やラジエントヒータ５の上方に調理鍋等の被調理物を載せ、先ずＳ１にて電源スイッチ９をオン操作した後、Ｓ２にて使用する熱源の摘み１７・・をプッシュ操作して出して運転スイッチ２８をオンし、Ｓ３にて摘み１７・・の回転操作により火力を設定すると、Ｓ４にて設定された火力を表示器１０，１１，１２に表示し、かつＳ５にて誘導加熱コイル３，４やラジエントヒータ５に通電して加熱調理を開始する。
【００２５】
又、Ｓ６にて上記時間設定キー１３・・や分設定キー１４・・を操作して、熱源の作動時間である所謂調理タイマーの時間を設定し、Ｓ７にて予め設定した受付時間（例えば１秒）キー操作が無ければ、Ｓ８に進んで調理タイマーのカウントダウンを開始する。
【００２６】
一方、Ｓ９にて未使用の熱源用のタイマー設定キー１３・・，１４・・，１５・・が操作されたか否か検出し、操作が無ければＳ１０に進んで調理タイマーの終了を検出すると、Ｓ１１にて加熱を停止すると共に、ブザー３１を作動（例えばピー音１回）して調理を終了する。
【００２７】
又、上記Ｓ９では、運転スイッチ２８のオン・オフ状態で熱源が使用中か未使用かを検出し、この構成により、タイマー設定キー１３・・，１４・・，１５・・の操作のみで、お知らせタイマーの設定を行う事ができ、操作性を良くしている。
【００２８】
尚、上記Ｓ９にて未使用の熱源用のタイマー設定キー１３・・，１４・・，１５・・の操作を検出すると、Ｓ１２に進んでこれらのキーにて入力されたお知らせタイマーの時間設定を行った後、Ｓ１３にて所定の受付時間（例えば１秒）キー操作が無いか否か検出し、無ければＳ１４に進んでお知らせタイマーのカウントダウンを開始し、Ｓ１５にてタイマーの終了を検出すると、Ｓ１６に進み、ブザー３１を上記調理タイマーとは異なる形態（例えばピピッと連続５回発音）で作動し、お知らせタイマーの終了を報知する。
【００２９】
これらの構成により、ブザー３１の報知音の相違のみで、比較的簡単な構成にて調理タイマーとお知らせタイマーとを区別して報知することができる。
【００３０】
又、上記図４ではタイマー調理を開始した途中で、調理を行っていない未使用のタイマー３９，４０を利用してお知らせタイマーとして使用する場合の動作を説明したが、調理を行っていない時に、お知らせタイマーを使用する場合には、電源スイッチ９をオン操作した後した後、上記Ｓ１２以降の操作を行うことで、お知らせタイマーの設定を行う事ができるものである。
【００３１】
一方、上記調理タイマーを使用時には、例えば図５の（ｃ）にて示す様に表示器１０，１１，１２の時間表示部５０にて残り時間を表示すると同時に、火力表示部５１にて設定された火力を表示し、お知らせタイマーとして使用する場合には、（ａ），（ｂ）にて示す様に時間表示部５０，５０に残り時間を表示し、火力表示を行わない様に構成することで、お知らせタイマー専用の表示を設ける必要がなく、制御回路２４，２５，２６のプログラム変更のみでお知らせタイマー機能を設ける事が出来るものである。
【００３２】
更に、上記実施例では、火力表示部５１の表示の有無で調理タイマーとお知らせタイマーの区別を表示する様に構成しているが、例えば上記表示器１０，１１，１２内に「お知らせタイマー」「調理タイマー」等の表示を設けても良いし、表示器１０，１１，１２以外の部分に専用のランプ等による表示を設けて良く、かつ、上記表示器１０，１１，１２のバックライトの発光色を調理タイマーとお知らせタイマーで相違させ、発光色の相違で表示する様に構成しても良い。
【００３３】
図６は本発明の他の実施例を示すフローチャートで、上記図４にて示すフローチャートと同様にＳ１〜Ｓ８にて調理時間を設定して調理を開始した後、Ｓ９にてお知らせタイマーを設定するための特定操作（例えば取消キー１５・・を２秒以上押し続けるとか、取消キーと時間設定キー１３・・を同時にオン操作する等）が行われたか否か検出し、行われた場合にはＳ１０，Ｓ１１と進んでお知らせタイマーのカウントダウンを開始し、Ｓ１２にてお知らせタイマーの終了を検出すると、Ｓ１３にてお知らせタイマーの終了を報知する。
【００３４】
一方、上記お知らせタイマーのカウントダウンと並行して、Ｓ１４にて調理タイマーの終了を検出し、終了すればＳ１５に進んで加熱を停止した後、Ｓ１６に進んで調理の終了を報知する。
【００３５】
これらの構成により、複数の熱源を同時に使用して全ての調理タイマーを使用している場合等にも、調理タイマー機能とお知らせタイマー機能を同時に使用する事ができ、使い勝手を向上出来るものである。
【００３６】
尚、上記の様に調理タイマーとお知らせタイマーを同時に使用する場合には、例えば図５の（ａ），（ｂ）にて示すお知らせタイマーの表示と、同じく（ｃ）にて示す調理タイマーの表示を一定時間間隔に交互に表示すれば、どちらのタイマーの残り時間も、比較的容易に確認する事が出来るものである。
【００３７】
【発明の効果】
本発明の構成により、複数の熱源を制御する制御回路に、熱源の作動時間を各々設定するタイマーを設けると共に、未使用のタイマーをお知らせタイマーとして動作可能に構成したことで、未使用のタイマーを利用して、例えばインスタント食品の経過時間の計測やパスタの茹で時間の計測を行うことができ、調理器の使い勝手を向上する事が出来るものである。
【００３８】
又本発明の構成により、お知らせタイマーの時間設定を、タイマーの時間を設定するタイマー設定キーを利用して行う様に構成したことで、専用の操作ボタン等を追加することなく、比較的簡単な構成にてタイマー機能を追加する事が出来るものである。
【００３９】
そして又本発明の構成により、熱源への通電をオン・オフする運転スイッチの状態に応じて、タイマー設定キーより入力された時間が調理タイマーかお知らせタイマーか判断する様に構成したことで、比較的簡単な操作にてお知らせタイマーの設定を行う事が出来るものである。
【００４０】
更に本発明の構成により、タイマーの時間を表示する表示器を設けると共に、この表示器の表示色を調理タイマーとお知らせタイマーとで異なる様に構成したことで、簡単な構成にて調理タイマーの表示かお知らせタイマーの表示かを区別して表示する事が出来るものである。
【００４１】
そして本発明の構成により、複数の熱源を制御する制御回路に、熱源の作動時間を設定するタイマーを設けると共に、タイマーによる調理中に特定操作により時間を設定することで、設定時間をお知らせタイマーとして動作する様に構成したことで、タイマー調理中に簡単な操作によりお知らせタイマー機能を行うことができ、例えば全ての熱源がタイマー調理中の場合でも、お知らせタイマーとして使用する事が出来るものである。
【００４２】
又本発明の構成により、タイマーの時間を表示する表示器に時間表示部と火力表示部を設けると共に、調理タイマーの表示時には時間表示部と火力表示部を表示させ、お知らせタイマーの表示時には時間表示部のみ表示する様に構成したことで、専用の表示器を追加することなく、既存の表示器を利用して調理タイマーとお知らせタイマーを区別して表示する事が出来るものである。
【００４３】
更に本発明の構成により、調理タイマーの終了時とお知らせタイマーの終了時とでブザーの報知音を異ならせて報知する様に構成したことで、簡単な構成にて調理タイマーの終了とお知らせタイマーの終了を区別して報知する事が出来るものである。
【図面の簡単な説明】
【図１】本発明による実施例を示す斜視図である。
【図２】同じく操作部の実施例を示す正面図である。
【図３】同じく制御回路の実施例を示すブロック図である。
【図４】同じく動作説明用のフローチャートである。
【図５】同じく表示器の実施例を示す正面図である。
【図６】同じく他の実施例を示す動作説明用のフローチャートである。
【符号の説明】
１    調理器本体
３    誘導加熱コイル（熱源）
４    誘導加熱コイル（熱源）
５    ラジエントヒータ（熱源）
１０  表示器
１１  表示器
１２  表示器
１３  時間設定キー（タイマー設定キー）
１４  分設定キー（タイマー設定キー）
１５  取消キー（タイマー設定キー）
２０  制御回路
２８  運転スイッチ
３１  ブザー
３８  タイマー
３９  タイマー
５０  時間表示部
５１  火力表示部
【図１】
2005038611.tif 000003
【図２】
2005038611.tif 000004
【図３】
2005038611.tif 000005
【図４】
2005038611.tif 000006
【図５】
2005038611.tif 000007
【図６】
2005038611.tif 000008